【手続補正書】
【提出日】平成26年10月9日(2014.10.9)
【手続補正１】
【補正対象書類名】特許請求の範囲
【補正対象項目名】全文
【補正方法】変更
【補正の内容】
【特許請求の範囲】
【請求項１】
取付支持体に対して固定され得るよう構成されたコネクタアセンブリ（１０）であって、
−コネクタ足部分（１）であるとともに、固定デバイス（５）を使用して前記取付支持体（６）に対して固定され得るよう構成され、さらに、ベースメタルシールドプレート（３）を備えた、コネクタ足部分（１）と、
−コネクタボディ部分（２）であるとともに、前記コネクタ足部分を起点として前記取付支持体から離間する向きに延出され、さらに、ボディシールド部材（２２）を備えた、コネクタボディ部分（２）と、
を具備し、
前記ボディシールド部材（２２）が、前記ベースメタルシールドプレート（３）に対して電気接触しており、
前記ベースメタルシールドプレート（３）が、前記固定デバイスに対して電気接触しており、これにより、恒久的な電気接触が、前記ボディシールド部材（２２）と前記取付支持体（６）との間に確立されることを特徴とするコネクタアセンブリ。
【請求項２】
請求項１記載のコネクタアセンブリ（１０）において、
前記コネクタ足部分（１）が、前記固定デバイス（５）を受領するための少なくとも１つの穴（１４）を備えていることを特徴とするコネクタアセンブリ。
【請求項３】
請求項２記載のコネクタアセンブリ（１０）において、
金属インサート（４）が、前記穴（１４）内に挿入され、
この金属インサートが、前記ベースメタルシールドプレート（３）に対しておよび前記固定デバイス（５）に対して電気接触していることを特徴とするコネクタアセンブリ。
【請求項４】
請求項３記載のコネクタアセンブリ（１０）において、
前記ベースメタルシールドプレート（３）が、前記コネクタ足部分（１）の前記穴（１４）に対して同軸的に配置された穴（４４）を有し、
前記ベースメタルシールドプレートの前記穴（４４）が、前記金属インサート（４）に対して付勢され得るよう構成された傾斜した弾性突起（３３）を有していることを特徴とするコネクタアセンブリ。
【請求項５】
請求項１〜４のいずれか１項に記載のコネクタアセンブリ（１０）において、
前記ベースメタルシールドプレート（３）が、１ＸＸＸシリーズのアルミニウム合金から形成されていることを特徴とするコネクタアセンブリ。
【請求項６】
請求項１〜５のいずれか１項に記載のコネクタアセンブリ（１０）において、
前記ベースメタルシールドプレート（３）が、前記コネクタ足部分（１）内に受領されるクリップ（３２）を有し、
前記クリップ（３２）が前記コネクタ足部分（１）内に受領されることにより、前記ベースメタルシールドプレート（３）が、前記コネクタ足部分（１）上に保持されるようになっていることを特徴とするコネクタアセンブリ。
【請求項７】
請求項１〜６のいずれか１項に記載のコネクタアセンブリ（１０）において、
前記ボディシールド部材（２２）が、前記ベースメタルシールドプレート（３）上に付勢される弾性ラグ（２３）を有し、
前記弾性ラグが前記ベースメタルシールドプレート上に付勢されることにより、前記ボディシールド部材（２２）と前記ベースメタルシールドプレート（３）との間の電気接触が確立されることを特徴とするコネクタアセンブリ。
【請求項８】
請求項７記載のコネクタアセンブリ（１０）において、
前記ベースメタルシールドプレート（３）が、前記ボディシールド部材（２２）の形状に対して実質的に対応した楕円形状の中央開口（３０）を有し、
前記弾性ラグ（２３）が、前記楕円形状の全周にわたって配置されていることを特徴とするコネクタアセンブリ。
【請求項９】
請求項１〜８のいずれか１項に記載のコネクタアセンブリ（１０）において、
前記固定デバイス（５）が、少なくとも１つのネジ（５０）を備え、
このネジが、前記取付支持体（６）のネジ穴（６０）内に受領され得るよう構成されていることを特徴とするコネクタアセンブリ。
【請求項１０】
請求項９記載のコネクタアセンブリ（１０）において、
前記固定デバイスを受領するための前記少なくとも１つの穴（１４）が、ボーダー（１７）を有し、
このボーダーが、前記金属インサート（４）よりも突出したものとされ、
これにより、前記ネジのネジ止め後には、前記ボーダーが、前記ネジ（５０）によって押圧され、
これにより、前記ボーダーが、前記ネジのネジ止め後には、前記ネジ（５０）の緩みを防止するためのブレーキとして作用することを特徴とするコネクタアセンブリ。
【請求項１１】
請求項１記載のコネクタアセンブリ（１０）において、
−前記コネクタ足部分（１）が、少なくとも３つの穴（１４）を備え、前記固定デバイスが、ネジとされ、
−前記コネクタボディ部分が、実質的に円筒形状のコネクタボディ部分（２）とされ、前記コネクタ足部分を起点として電気的制御デバイスに対して外向きに延出され、さらに、ボディシールド部材（２２）が、係合軸線（Ｘ）まわりにおいて実質的に円筒形状のものとされ、
−前記ベースメタルシールドプレート（３）が、前記係合軸線（Ｘ）に対して垂直な平面（Ｐ）内に延在しており、
−少なくとも３つの金属インサート（４）が、前記穴（１４）内にそれぞれ挿入され、
前記ベースメタルシールドプレート（３）が、前記金属インサート（４）に対して電気接触しており、
前記金属インサート（４）が、前記ネジ（５０）に対して電気接触していることを特徴とするコネクタアセンブリ。
【請求項１２】
請求項１１記載のコネクタアセンブリ（１０）において、
前記穴（１４）の各々が、ボーダー（１７）を有し、
このボーダーが、前記係合軸線（Ｘ）に沿って、前記金属インサート（４）よりも突出したものとされ、
これにより、前記ネジのネジ止め後には、前記ボーダーが、前記ネジ（５０）によって押圧され、
これにより、前記ボーダーが、前記ネジのネジ止め後には、前記ネジ（５０）の緩みを防止するためのブレーキとして作用することを特徴とするコネクタアセンブリ。
【請求項１３】
接続システムであって、
−請求項１〜１２のいずれか１項に記載のコネクタアセンブリ（１０）と、
−固定デバイス（５）と、
−取付支持体（６）と、
を具備し、
前記固定デバイスが、前記取付支持体（６）上へと前記コネクタアセンブリ（１０）を固定し得るよう構成され、
前記固定デバイス（５）が、前記取付支持体（６）に対して電気接触していることを特徴とする接続システム。
【請求項１４】
接続システムであって、
−請求項１０または１２に記載のコネクタアセンブリ（１０）と、
−ネジ（５０）と、
−取付支持体（６）と、
を具備し、
前記ネジ（５０）が、前記取付支持体上へと前記コネクタアセンブリを固定し得るよう構成され、
前記固定デバイスが、前記取付支持体（６）に対して電気接触しており、
前記ネジ（５０）が、ネジ止め後には、前記ボーダーを押圧し、
これにより、前記ボーダーが、前記ネジのネジ止め後には、前記ネジ（５０）の緩みを防止するためのブレーキとして作用することを特徴とする接続システム。
【請求項１５】
請求項１〜１２のいずれか１項に記載のコネクタアセンブリ（１０）を取付支持体（６）に対して固定するための取付方法であって、
−前記コネクタ足部分（１）上に前記ベースメタルシールドプレート（３）を取り付け、
−穴（１４）内に金属インサート（４）を挿入し、
−固定デバイス（５）を使用して前記コネクタアセンブリを固定し、これにより、前記ボディシールド部材（２２）を前記ベースメタルシールドプレート（３）に対して電気接触させ、前記ベースメタルシールドプレート（３）を前記固定デバイス（５）に対して電気接触させ、前記固定デバイスを前記取付支持体（６）に対して電気接触させる、
ことを特徴とする取付方法。
【請求項１６】
請求項１０または１２に記載のコネクタアセンブリ（１０）を取付支持体（６）に対して固定するための取付方法であって、
−前記コネクタ足部分（１）上に前記ベースメタルシールドプレート（３）を取り付け、
−穴（１４）内に金属インサート（４）を挿入し、
−前記取付支持体（６）のネジ穴（６０）内に前記ネジ（５０）をネジ止めし、これにより、前記ボディシールド部材（２２）を前記ベースメタルシールドプレート（３）に対して電気接触させ、前記ベースメタルシールドプレート（３）を前記固定デバイスに対して電気接触させ、前記固定デバイスを前記取付支持体（６）に対して電気接触させ、前記ネジ（５０）が、ネジ止め後には、前記ボーダーを押圧し、これにより、前記ボーダーを、前記ネジのネジ止め後には、前記ネジ（５０）の緩みを防止するためのブレーキとして作用させる、
ことを特徴とする取付方法。
【請求項１７】
取付支持体に対して固定され得るよう構成されたコネクタアセンブリ（１０）であって、
コネクタ足部分（１）であるとともに、前記取付支持体（６）に対して固定され得るよう構成され、さらに、ベースメタルシールドプレート（３）を備えた、コネクタ足部分（１）を具備し、
前記ベースメタルシールドプレート（３）が、１ＸＸＸシリーズのアルミニウム合金から形成されていることを特徴とするコネクタアセンブリ。
【請求項１８】
請求項１７記載のコネクタアセンブリにおいて、
コネクタボディ部分（２）であるとともに、前記コネクタ足部分を起点として前記取付支持体から離間する向きに延出され、さらに、ボディシールド部材（２２）を備えた、コネクタボディ部分（２）を具備し、
前記ボディシールド部材（２２）が、前記ベースメタルシールドプレート（３）に対して電気接触していることを特徴とするコネクタアセンブリ。
【請求項１９】
請求項１７または１８記載のコネクタアセンブリにおいて、
前記コネクタ足部分（１）が、固定デバイス（５）を使用して前記取付支持体（６）に対して固定され、
前記ベースメタルシールドプレートが、前記固定デバイスに対して電気接触していることを特徴とするコネクタアセンブリ。